(57)【特許請求の範囲】
【請求項１】
軒から落下する雨水を受ける親水性塗料あるいは親水性フィルムを塗布、あるいは貼着した受け材を配した伝水導入部と、該伝水導入部下端部近傍に上方に開口した入水口を有する受水部を形成してなる軒樋構造において、上記受け材の外方先端の鉛直線より突出しない内側に前記入水口を配置したことを特徴とする軒樋構造。
【発明の詳細な説明】
【０００１】
【産業上の利用分野】
本発明は、異物混入、雪落等の衝撃防止を図り、積雪地域での使用も可能にする軒樋構造に関するものである。
【０００２】
【従来の技術】
従来の軒樋は、（１）雨水を受ける樋が、樋金具を介して直に上方に開口して設置されていた。また、（２）積雪地域用では、殆ど軒樋が使用されていなかった。
【０００３】
【発明が解決しようとする課題】
しかしながら、（１）にあっては、（イ）落ち葉、ゴミ等の混入が避けられず、メンテナンスに手間がかかる。（ロ）積雪荷重に耐えられず、耐用数年が短い。（ハ）積雪地域でも簡単な施工で、軒樋の使用を可能にする必要がある。等の欠点があった。
【０００４】
【課題を解決するための手段】
本発明はこのような欠点を除去するため、軒から軒樋に至る途中に親水性塗料あるいは親水性フィルムを塗布あるいは貼着してヌレ性を向上した受け材（以下、単に受け材という）を介在することでコアンダ効果、ティーポット効果を発揮して、雨水を所定の場所に流下させると共に、異物混入防止、落雪等の衝撃による破損防止を図った軒樋構造を提案するものである。
【０００５】
【実施例】
以下に、図面を用いて本発明に係る軒樋構造について詳細に説明する。図１は軒部に軒樋構造Ａを使用した一例を示す構成略図であり、受け材Ｃを持つ伝水導入部Ｄと、入水口Ｅを持つ受水部Ｆからなるものである。また屋根材Ｂは、横長尺屋根をはじめとする各種金属屋根、あるいはセメント系新生瓦、粘土瓦等市販の屋根材を使用することができる。
【０００６】
図２（ａ）、（ｂ）は図１のロ−ロ線で切断した説明図、および軒樋Ｇを示す断面図であり、受け材Ｃは、断面コ字状の固定部１と、その固定部１下端を外方に半円凸状に突出した雨水反転片２と、この雨水反転片２下端を内方へ水平に屈曲して形成した水切り上面３とからなり、さらに受水部Ｆは、上記水切り上面３先端を下方に直角に屈曲して直角側壁４と、その直角側壁４下端を上記水切り上面３と平行に屈曲した底片５と、底片５の先端を上方に直角に立ち上げた外方側壁６とから略断面角パイプ状とし、この外方側壁６上端を内方に鋭角に屈曲した入水口Ｅとから構成したものである。勿論この形状以外に種々形状が可能であることはいうまでもない。素材としてはカラー鋼板の他、各種金属材料、合成樹脂材料を用いるもので、押出、ロールフォーミング、折曲げ、プレス加工、等の成形方法を採用することができる。
【０００７】
図３は、従来の軒樋Ｇを積雪地帯で使用した場合を示す説明図であり、積雪αが軒部の屋根材Ｂからせり出し、上方に開口した軒樋Ｇにせりだした積雪αの全荷重がかかるため、軒樋Ｇは勿論、軒樋金具βにも変形が起こり、固定具γに浮き上がりが見られるようになった例である。この状態では軒樋Ｇの機能が失われ、軒樋Ｇ外への漏水が避けられず、軒樋Ｇを使用しない住宅さえ存在する。
【０００８】
図４は、受け材表面７を図示したものであり、（ａ）は基材８ａ上に、親水性塗料あるいは親水性フィルム８を塗布、あるいは貼着した状態を示すものである。さらに素材としてプラスチック等を使用した場合は、帯電防止剤等親水性を向上する材料を練り込んだものであれば、同様な効果が得られる。なお、親水性塗料あるいは親水性フィルム８等の親水性材料の特徴は、図４（ｂ）に示すように、（１）親水性が高いと、接触面と水滴（雨水Ｒ）の接触角θが小となり、図４（ｃ）に示すように接触角θが大きくなると撥水性が高くなる。なお、親水性と言われる範囲は０°≦θ≦６０°である。また、（２）接触角θが小さくなれば水の体積が同じでも接触面との接触面積が大きくなる。（３）斜面を水が流れる場合、接触面積が大きいほど抵抗が大きくなり、流速が遅くなる。（４）そのために、軒先より雨水が飛び出しにくい。等である。
【０００９】
図５は、受け材Ｃ先端のアール形状等を種々変化した場合であり、（ａ）〜（ｄ）は雨水反転片２の半径を順次漸減したものである。特に（ａ）、（ｃ）は雨水反転片２と水切り上面３の境界に水切突起３ａを形成したもの、（ｂ）、（ｄ）は水切り上面３を傾斜面としたり、鋸歯状の水切り上面３とした場合である。
【００１０】
次に、本発明に係る軒樋構造の施工例について簡単に説明する。いま図１〜図２（ａ）に示すように軒樋構造Ａを施工するためには、図２（ｂ）に示するような軒樋Ｇを用いると仮定する。そこで図２（ａ）のように、当て木ｈに固定部１を当接し、固定部１上面に形成した係止片１ａを第１段目の屋根材Ｂの係合片Ｒａによってかしめて固定する。上記工程を桁方向に連続して施工することで軒樋Ｇを完成するものである。なお一点鎖線の軒樋金具βを採用すれば、強度アップが図れるものである。勿論、図示しない軒樋Ｇ同士の接続部、あるいは谷部、下り棟部には専用の付属品を用いるものである。
【００１１】
次に、本発明に係る軒樋構造の動作についてさらに説明する。雨水Ｒが図２（ａ）の矢印に示すように屋根材Ｂから接続した受け材Ｃの雨水反転片２に導入され、アール形状に沿って下方に流下すると、流体の特性であるコアンダ効果、ティーポット効果により鉛直線イ方向より内側に回り込むことになり、水切り上面３に変わる境界で下方に落下するが、この落下する雨水Ｒを余裕の範囲でカバーする位置に入水口Ｅを設置してあるため、流下する雨水Ｒの全てを収集することができる。一方二点鎖線で示す積雪αがある冬期間は、軒部で回り込む雪が雨水反転片２外方先端から鉛直線イ方向に自然落下することにより、受水部Ｆを破損することがない。勿論落ち葉、ゴミ等は上記積雪αと同様に自然落下し、入水口Ｅから受水部Ｆに入り込むことが殆どない。なお屋根全体にも親水性を付加することで上記コアンダ効果、ティーポット効果をより向上させることが可能である。
【００１２】
以上説明したのは本発明に係る軒樋構造の一実施例にすぎず、図６〜図１７に示すように形成することもできる。すなわち図６〜図１０は、軒樋構造Ａのその他の例を示すものであり、図６（ａ）は雨水反転片２の円周を延長し、水切り上面３を傾斜させ、さらに水流の方向が変わる付近に図示した融雪装置１４を形成したもの、図６（ｂ）は水切り１５を付加し、雨水反転片２を円弧と鉛直線との組み合わせとした他、軒樋金具βを図のように形成したもの、図７は雨水反転片２の先端を鉛直面取り１６としたもの、図８（ａ）は水切り上面３を下に凸の３角形とし、軒樋金具βをこの上面３に部分的に形成した切り欠き１８から挿入したもの、図８（ｂ）は受水部Ｆを半円状とし、さらに図６（ａ）の融雪装置１４を付加したもの、図９（ａ）、（ｂ）、図１０（ａ）は受け材Ｃと受水部Ｆを分離して形成したものであり、図９（ａ）、（ｂ）は雨水反転片２の下端に水切り突起３ａを図のように形成したもの、図１０（ａ）は押出成形による雨水反転片２の例、図１０（ｂ）は樋受け金具βを３部材で形成し、受け材Ｃと受水部Ｆを分割して形成したものである。
【００１３】
図１１〜図１３は軒樋構造Ａのその他の例を示すものであり、図１１（ａ）は受け材Ｃと第１段目の屋根材Ｂとを兼用し、軒先の傾斜を幾分緩くした浮き部１９形成して流速を減じたもの、図１１（ｂ）は図１１（ａ）において、浮き部１９を形成しない点を除き同一に形成したもの、図１２は図１１（ａ）において受水部Ｆを受け材Ｃで内包し、切り欠き１８を一定ピッチで形成したもの、図１３は雨水反転片２を外方へ大きく突出したものである。
【００１４】
図１４〜図１９は軒樋構造Ａのその他の例を示すものであり、図１４（ａ）は入水口Ｅに網状蓋２０を形成し、ゴミが侵入しないように形成したもの、図１４（ｂ）は図１４（ａ）において、受水部Ｆを小型に形成したもの、図１５（ａ）は受水部Ｆを図１４（ｂ）と逆に縦大型に形成したもの、図１５（ｂ）は受け材Ｃと受水部Ｆを分離すると共に、受水部Ｆに受け材Ｃを係止する係止機構２１を配設し、施工性に配慮したもの、図１６は雨水反転片２をアール形状と内方傾斜部２２との組み合わせからなる伝水導入部Ｄとし、集水効果の向上を図ったものである。
【００１５】
図１７は鉛直線イと同じ位置に外方側壁６を形成した軒樋構造である。
【００１６】
図１８は鉛直線イよりも外方の位置に外方側壁６を形成した軒樋構造である。
【００１７】
図１９（ａ）は受水部Ｆを２部材より形成し、支点２３を中心に外方側壁６が移動できるように形成し、図１９（ｂ）に示すように、冬季には鉛直線イよりも内方の位置に外方側壁６の先端を形成し、雨の多いときには鉛直線イよりも外方の位置に外方側壁６の先端を形成し、雨の少ない季節には鉛直線イと同一の位置に外方側壁６の先端を形成できるようにした軒樋構造である。
【００１８】
【発明の効果】
上述したように本発明に係る軒樋構造によれば、（１）ゴミによる排水路のつまりを防止してメンテナンスの手間を省き、また（２）落雪等による軒樋の破損を防止して耐久性を向上する。（３）積雪地域でも軒樋が使用できる。（４）軒樋にあって、コアンダ効果、ティーポット効果が有効に機能する形状と親水性向上材料を採用することで、上記効果を持続して発揮することができる。また、融雪装置を併用すれば、（５）冬期の「すがもれ」による室内側への漏水事故を防止することができる。（６）軒樋内が凍り付くことがない。（７）屋根面の融雪と軒樋内の融雪を同時に行うことにより、冬季の雨水の流下（融雪）を、速やかに、かつ確実に行える。等の特徴、効果がある。
【００１９】
図２１（ａ）は受水部Ｆを２部材より形成し、支点２４を中心に外方側壁６が移動できるように形成し、図２１（ｂ）に示すように、冬季には鉛直線イよりも内方の位置に外方側壁６の先端を形成し、雨の多いときには鉛直線イよりも外方の位置に外方側壁６の先端を形成し、雨の少ない季節には鉛直線イと同一の位置に外方側壁６の先端を形成できるようにした軒樋構造である。
【００２０】
【発明の効果】
上述したように本発明に係る軒樋構造によれば、（１）ゴミによる排水路のつまりを防止してメンテナンスの手間を省き、また（２）落雪等による軒樋の破損を防止して耐久性を向上する。（３）積雪地域でも軒樋が使用できる。（４）軒樋にあって、コアンダ効果、ティーポット効果が有効に機能する形状とヌレ性を向上した受け材に親水性向上材料を採用することで、上記効果を持続して発揮することができる。また、融雪装置を併用すれば、（５）冬期の「すがもれ」による室内側への漏水事故を防止することができる。（６）軒樋内が凍り付くことがない。（７）屋根面の融雪と軒樋内の融雪を同時に行うことにより、冬季の雨水の流下（融雪）を、速やかに、かつ確実に行える。等の特徴、効果がある。
【図面の簡単な説明】
【図１】本発明に係る軒樋構造の代表例を示す説明図である。
【図２】図１のロ−ロ線断面図、および軒樋の断面図である。
【図３】従来の軒樋の変形状態を示す説明図である。
【図４】受け材の表面状態を示す部分拡大図である。
【図５】受け材の外方先端のアール形状を抽出して示す説明図である。
【図６】軒樋構造のその他の例を示す説明図である。
【図７】軒樋構造のその他の例を示す説明図である。
【図８】軒樋構造のその他の例を示す説明図である。
【図９】軒樋構造のその他の例を示す斜視図である。
【図１０】軒樋構造のその他の例を示す説明図である。
【図１１】軒樋構造のその他の例を示す説明図である。
【図１２】軒樋構造のその他の例を示す説明図である。
【図１３】軒樋構造のその他の例を示す説明図である。
【図１４】軒樋構造のその他の例を示す説明図である。
【図１５】軒樋構造のその他の例を示す説明図である。
【図１６】軒樋構造のその他の例を示す説明図である。
【図１７】軒樋構造のその他の例を示す説明図である。
【図１８】軒樋構造のその他の例を示す説明図である。
【図１９】軒樋構造のその他の例を示す説明図である。
【符号の説明】
Ａ 軒樋構造
Ｂ 屋根材
Ｃ 受け材
Ｄ 伝水導入部
Ｅ 入水口
Ｆ 受水部
Ｇ 軒樋
ｈ 当て木
Ｒ 雨水
Ｒａ 係合片
α 積雪
β 軒樋金具
γ 固定具
イ 鉛直線
１ 固定部
１ａ 係止片
２ 雨水反転片
３ 水切り上面
３ａ 水切り突起
４ 直角側壁
５ 底片
６ 外方側壁
７ 受け材表面
８ 親水性塗料あるいは親水性フィルム
９ 凹溝
１０ 硅砂等
１１ 凸リブ
１２ 上係止片
１３ 係合片
１４ 融雪装置
１５ 水切り
１６ 鉛直面取り
１７ 減速突起
１８ 切り欠き
１９ 浮き部
２０ 網状蓋
２１ 係止機構
２２ 内方傾斜部
２３ 支点
【図１】
0003855182.tif 000002
【図２】
0003855182.tif 000003
【図３】
0003855182.tif 000004
【図４】
0003855182.tif 000005
【図５】
0003855182.tif 000006
【図６】
0003855182.tif 000007
【図７】
0003855182.tif 000008
【図８】
0003855182.tif 000009
【図９】
0003855182.tif 000010
【図１０】
0003855182.tif 000011
【図１１】
0003855182.tif 000012
【図１２】
0003855182.tif 000013
【図１３】
0003855182.tif 000014
【図１４】
0003855182.tif 000015
【図１５】
0003855182.tif 000016
【図１６】
0003855182.tif 000017
【図１７】
0003855182.tif 000018
【図１８】
0003855182.tif 000019
【図１９】
0003855182.tif 000020